(57)【要約】【課題】表示プレートを抜けにくくすると共に、無理矢理抜き出したときには抜き出したことがわかるようにする。【解決手段】背面側キャビネットに表示プレート２０を出し入れするためのプレート用開口を形成し、この内側に表示プレート２０をスライド可能に収容するホルダー部６を配置する。表示プレート２０の基端側に、プレート用開口４ａ側から表示プレート２０が抜け出すのを阻止すると共に、プレート用開口４ａ側からホルダー部６へ表示プレート２０を挿入するのを阻止するストッパ部２５を設け、さらに、表示プレート２０をプレート用開口４ａから外側へ引き抜いたときにホルダー部６（抜け止め部２４）に当接して変形する検知用突起部２６を設ける。【選択図】図１
2015041925.tif 000002
【特許請求の範囲】
【請求項１】
収納可能な表示プレートを有する携帯端末において、
上記表示プレートを出し入れするためのプレート用開口を有する筐体と、
上記プレート用開口内側に設けられ、上記表示プレートをスライド可能に収容するホルダー部とを備え、
上記表示プレートの基端側には、上記プレート用開口側から該表示プレートが抜け出すのを阻止すると共に、上記プレート用開口側から上記ホルダー部へ該表示プレートを挿入するのを阻止するストッパ部と、該表示プレートを上記プレート用開口から外側へ引き抜いたときに上記プレート用開口周縁又は上記ホルダー部に当接して変形する検知用突起部とが設けられている
ことを特徴とする携帯端末。
【請求項２】
請求項１に記載の携帯端末において、
上記ホルダー部には、上記ストッパ部は通過可能で且つ上記検知用突起部に当接する抜け止め部が形成されている
ことを特徴とする携帯端末。
【請求項３】
請求項１又は２に記載の携帯端末において、
上記ホルダー部は、カード用コネクタに隣接して設けられ、該カード用コネクタに出し入れされるカードは、上記プレート用開口を通って出し入れされるように構成されている
ことを特徴とする携帯端末。
【発明の詳細な説明】
【技術分野】
【０００１】
本発明は、識別番号が表示された表示プレートを有する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。このＩＭＥＩ、製造番号等の重要情報は、筐体内のいずれかに設けたトレイに記載されることが知られている。
【０００３】
トレイを出し入れする構造としては、例えば特許文献１のように、コイン型電池を機器筐体外部から着脱可能に収納するものが知られている。このトレイは、収納時には係合によるロック機構により本体に固定され、着脱時にはクリック感を伴うようになっている。
【先行技術文献】
【特許文献】
【０００４】
【特許文献１】特開２００７−１２４４７号公報
【発明の概要】
【発明が解決しようとする課題】
【０００５】
ところで、ＩＭＥＩ、製造番号等の重要情報は、携帯端末固有のものであり、その管理の信頼性を確保するためには、容易に交換できないようにしたり、無理矢理交換した場合にはそのことが判明するようにしたりする必要がある。
【０００６】
しかし、上記特許文献１のようにクリック感を伴うロック爪であると、爪の撓みによって取付はしやすくなるが、引き抜きに対する強度も低くなるという問題がある。
【０００７】
本発明は、かかる点に鑑みてなされたものであり、その目的とするところは、表示プレートを抜けにくくすると共に、無理矢理抜き出したときには抜き出したことがわかるようにすることにある。
【課題を解決するための手段】
【０００８】
上記の目的を達成するために、この発明では、表示プレートにストッパ部と検知用突起部とを設けた。
【０００９】
具体的には、本発明では、収納可能な表示プレートを有する携帯端末を前提とし、この携帯端末は、
上記表示プレートを出し入れするためのプレート用開口を有する筐体と、
上記プレート用開口内側に設けられ、上記表示プレートをスライド可能に収容するホルダー部とを備え、
上記表示プレートの基端側には、上記プレート用開口側から該表示プレートが抜け出すのを阻止すると共に、上記プレート用開口側から上記ホルダー部へ該表示プレートを挿入するのを阻止するストッパ部と、該表示プレートを上記プレート用開口から外側へ引き抜いたときに上記プレート用開口周縁又は上記ホルダー部に当接して変形する検知用突起部とが設けられている。
【００１０】
上記の構成によると、ストッパ部により、表示プレートがプレート用開口側から抜け出すのが阻止され、無理矢理表示プレートを引き抜くと、検知用突起部が変形して取り出したことが判明する。そして、いったん取り外すと、ストッパ部があるので、再びプレート用開口から表示プレートを挿入することができない。
【発明の効果】
【００１１】
以上説明したように、本発明によれば、表示プレートの基端側にストッパ部と検知用突起部とを設けたことにより、表示プレートを抜けにくくすると共に、無理矢理抜き出したときには検知用突起部が変形するので、抜き出したことを判明することができる。
【図面の簡単な説明】
【００１２】
【図１】表示プレート及びその周辺の電子回路基板を拡大して示す斜視図である。
【図２】本発明の実施形態に係る携帯電話機及びその一部を拡大して示す斜視図である。
【図３】携帯電話機を示す分解斜視図である。
【図４】表示プレートを拡大して示し、（ａ）が背面側から見た斜視図で、（ｂ）が正面側から見た斜視図である。
【発明を実施するための形態】
【００１３】
以下、本発明の実施形態を図面に基づいて説明する。
【００１４】
図２及び図３は本発明の実施形態の携帯端末としての携帯電話機１（スマートフォン）を示し、この携帯電話機１は、例えばタッチパネルを含む液晶表示部２を収容する、正面側キャビネット３と、この正面側キャビネット３の背面側を覆う筐体としての背面側キャビネット４とを備え、これら正面側キャビネット３及び背面側キャビネット４の上側に電子回路基板５が収容されている。電子回路基板５は、ホルダー部６で覆われて正面側キャビネット３に固定されている。なお、背面側キャビネット４は、背面側の皿状のリアカバー部分が取り外せるようになっていてもよい。
【００１５】
図１及び図３に示すように、例えば、電子回路基板５の上側にＳＩＭカード１１及びＳＤカード１２を出し入れ可能なカード用コネクタ１０が取り付けられている。背面側キャビネット４の上端に開口した例えば長円形状のプレート用開口４ａからＳＩＭカード１１及びＳＤカード１２のいずれも出し入れ可能となっている。背面側キャビネット４の上側は切欠４ｂが形成され、この切欠４ｂからプレート用開口４ａが露出するようになっている。図３に示すように、切欠４ｂは、プレート用開口４ａを含めてコネクタカバー１５によって塞がれて防水及び防塵されている。
【００１６】
そして、ＳＩＭカード１１側のホルダー部６に例えば樹脂成形品よりなる表示プレート２０が挿入されている。図４にも示すように、表示プレート２０には、ＩＭＥＩ、製造番号等の重要情報が記載されたラベル２１が貼り付けられている。なお、ラベル２１を貼り付けるのではなく、印刷、刻印等によって表示プレート２０の表面に直接重要情報を記載するようにしてもよい。表示プレート２０の上端には、爪を掛けて引き出すための長円形状の爪掛け用孔部２２が形成されている。
【００１７】
表示プレート２０は、ホルダー部６に設けた一対の側壁２３内を上下にスライドさせて出し入れ可能に構成されている。この一対の側壁２３の上端には、左右方向に向かい合うように抜け止め部２４が設けられている。
【００１８】
一方、表示プレート２０の基端（下端）側には、ストッパ部２５が膨出している。ストッパ部２５の左右幅は、上記一対の抜け止め部２４間の幅よりも短い。このストッパ部２５は、プレート用開口４ａ側から表示プレート２０が抜け出すのを阻止すると共に、プレート用開口４ａ側からホルダー部６へ表示プレート２０を挿入するのを阻止するような厚さまで膨出している。そして、表示プレート２０の基端におけるストッパ部２５の左右外側には、検知用突起部２６がそれぞれ突設されている。この検知用突起部２６は、表示プレート２０を上方に引き抜こうとすると、抜け止め部２４に当接して抜き出すのを防止する。そして、無理矢理表示プレート２０をプレート用開口４ａから外側へ引き抜こうとすると、抜け止め部２４に当接して変形するようになっている。なお、抜き出し時にホルダー部６の一部に当接するのではなく、プレート用開口４ａ周縁等に当接して変形するようにしてもよい。
【００１９】
図１に示すように、側壁２３の下端側には、互いに向かい合うように突起２３ａがそれぞれ形成されている。この突起２３ａには、表示プレート２０の基端側に設けた扇形切欠よりなる係合部２７が係合することにより、表示プレート２０が収納位置に保持されるようになっている。
【００２０】
次いで、本実施形態の表示プレート２０の作用について説明する。
【００２１】
まず、表示プレート２０を組み付ける前にラベル２１等により、ＩＭＥＩ、製造番号等の重要情報を記載しておく。
【００２２】
表示プレート２０をプレート用開口４ａ側から挿入しようとすると、ストッパ部２５が邪魔をしてホルダー部６の側壁２３間に挿入することができない。このため、内部側から側壁２３間に表示プレート２０をスライドさせて挿入する。通常は組立時にのみ表示プレート２０を挿入することになる。
【００２３】
表示プレート２０の内容を確認するときには、まず、携帯電話機１上方のコネクタカバー１５を開いてプレート用開口４ａを露出させる。次いで、指掛け用孔部２２に爪を掛けて表示プレート２０を引き出してラベル２１の内容を確認する。このとき、表示プレート２０を引っ張ってもストッパ部２５及び検知用突起部２６が引っかかって表示プレート２０が抜け出すことはない。
【００２４】
一方、無理矢理引き出そうとして表示プレート２０を強く引っ張ると、ストッパ部２５が何とか通過したとしても、検知用突起部２６が抜け止め部２４に押しつぶされて変形する。このため、抜き出した表示プレート２０を別の携帯電話機１に流用したとしても、検知用突起部２６の状態を見れば容易に流用が判明する。一方、いったん表示プレート２０を取り外すと、ストッパ部２５があるので、再びプレート用開口４ａから表示プレート２０を挿入することができない。
【００２５】
ラベル２１の確認後は、再び側壁２３間をスライドさせるように押し込む。収容位置に来ると、側壁２３の突起２３ａに表示プレート２０の係合部２７が係合することにより、クリック感を得ながら収納される。
【００２６】
また、表示プレート２０は、カード用コネクタ１０に隣接して設けられ、カード用コネクタ１０と共通のコネクタカバー１５で覆われるので、省スペース及び部品点数の減少を図ることができる。
【００２７】
したがって、本実施形態に係る携帯電話機１によると、表示プレート２０を抜けにくくすると共に、無理矢理抜き出したときには検知用突起部２６が変形するので、そのことを判明することができる。このため、製造番号を記載したトレイの混在を避けることができ、製造番号による端末管理の信頼性を確保することができる。
【００２８】
（その他の実施形態）
本発明は、上記実施形態について、以下のような構成としてもよい。
【００２９】
すなわち、上記実施形態では、プレート用開口４ａは、背面側キャビネット４側に設けたが、正面側キャビネット３側に設けてもよい。
【００３０】
上記実施形態では、表示プレート２０にＩＭＥＩ、製造番号等の重要情報を表示したが、それに限定されず製品の取扱注意事項など他の事項を表示するようにしてもよい。
【００３１】
また、上記実施形態では、携帯端末は、携帯電話機１としたが、ＰＨＳ（Personal Handy-phone System ）、ＰＤＡ(Personal DigitalAssistant)、パソコン、モバイルツール、電子辞書、電卓、ゲーム機等であってもよい。
【００３２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３３】
１      携帯電話機（携帯端末）
２      液晶表示部
３      正面側キャビネット
４      背面側キャビネット（筐体）
４ａ    プレート用開口
４ｂ    切欠
５      電子回路基板
６      ホルダー部
１０      カード用コネクタ
１１      ＳＩＭカード
１２      ＳＤカード
１５      コネクタカバー
２０      表示プレート
２１      ラベル
２２      指掛け用孔部
２３      側壁
２３ａ    突起
２４      抜け止め部
２５      ストッパ部
２６      検知用突起部
２７      係合部
【図１】
2015041925.tif 000003
【図２】
2015041925.tif 000004
【図３】
2015041925.tif 000005
【図４】
2015041925.tif 000006